(57)【要約】本発明のシステム及び方法は、複数のホール設備装置と少なくとも１つのエレベータシステムコントローラとの間の通信を提供するためのエレベータ通信システムを起動する。該エレベータ通信システムは、第１および第２の部分を有する少なくとも１つのエレベータドアインターロック配線回路を含む。第１の送受信機は、少なくとも１つのエレベータシステムコントローラと複数のホール設備装置との間で、インターロック配線を介して信号の送受信を行うために、該ドアインターロック配線の第１の部分に接続される。第２の送受信機は、少なくとも１つのエレベータシステムコントローラと複数のホール設備装置との間で、インターロック配線を介して信号の送受信を行うために、該ドアインターロック配線の第２の部分に接続される。【選択図】図１
2007526194.tif 000002
【特許請求の範囲】
【請求項１】
複数のホール設備装置と少なくとも１つのエレベータシステムコントローラとの間の通信を提供するためのエレベータ通信システムであって、
（ａ）少なくとも１つのエレベータドアインターロック配線回路と、
（ｂ）前記少なくとも１つのエレベータシステムコントローラと前記複数のホール設備装置との間で、前記少なくとも１つのインターロック配線回路を介して信号の送受信を行うための、前記少なくとも１つのドアインターロック配線回路に接続される送受信機とを備える、エレベータ通信システム。
【請求項２】
前記複数のホール設備装置のそれぞれは、前記複数のホール設備装置のそれぞれと前記送受信機との間で、前記少なくとも１つのドアインターロック配線回路を介して前記信号を結合するための信号装置をさらに備える、請求項１に記載のシステム。
【請求項３】
前記信号装置は、
（ａ）前記信号を生成し、受信するためのインターフェース送受信機と、
（ｂ）前記エレベータドアインターロック配線回路と前記インターフェース送受信機との間で前記送受信される信号を結合するための、前記エレベータドアインターロック配線回路の近傍に配置される少なくとも１つの結合装置とを備える、請求項２に記載のエレベータ通信システム。
【請求項４】
前記少なくとも１つの結合装置は、前記エレベータドアインターロック配線回路と前記インターフェース送受信機との間で前記送受信される信号を誘導的に結合するための誘導装置である、請求項３に記載のエレベータ通信システム。
【請求項５】
前記少なくとも１つの結合装置は、前記エレベータドアインターロック配線回路と前記インターフェース送受信機との間で前記送受信される信号を容量結合するための容量装置である、請求項３に記載のエレベータ通信システム。
【請求項６】
前記インターフェース送受信機は、前記複数のホール設備装置のうちの１つから受信したリクエストデータ信号を、前記ドアインターロック配線回路に送信するための送信機を備える、請求項３に記載のエレベータ通信システム。
【請求項７】
前記インターフェース送受信機によって送信された前記リクエストデータ信号は、前記リクエストデータ信号によって変調されたＲＦ信号を含む、請求項６に記載のエレベータ通信システム。
【請求項８】
前記インターフェース送受信機は、前記エレベータシステムコントローラおよび送受信機から、前記インターロック配線回路を介して制御信号を受信するための受信器を備える、請求項３に記載のエレベータ通信システム。
【請求項９】
前記インターフェース送受信機は、前記受信した制御信号を復調し、前記復調した制御信号を前記複数のホール設備装置のうちの１つに送信するための復調回路を備える、請求項８に記載のエレベータ通信システム。
【請求項１０】
前記復調した制御信号は、前記エレベータシステムコントローラによって生成される制御データ信号を含む、請求項９に記載のエレベータ通信システム。
【請求項１１】
複数のホール設備装置と少なくとも１つのエレベータシステムコントローラとの間の通信を提供するためのエレベータ通信システムであって、
（ａ）第１および第２の部分を有する少なくとも１つのエレベータドアインターロック配線回路と、
（ｂ）前記少なくとも１つのエレベータシステムコントローラと前記複数のホール設備装置との間で、前記インターロック配線を介して信号の送受信を行うための、前記ドアインターロック配線の前記第１の部分に接続される第１の送受信機と、
（ｃ）前記少なくとも１つのエレベータシステムコントローラと前記複数のホール設備装置との間で、前記インターロック配線を介して信号の送受信を行うための、前記ドアインターロック配線の前記第２の部分に接続される第２の送受信機とを備える、エレベータ通信システム。
【請求項１２】
前記複数のホール設備装置のそれぞれは、前記複数のホール設備装置のそれぞれと前記第１および第２の送受信機との間で、前記ドアインターロック配線回路を介して信号を結合するための信号装置をさらに備える、請求項１１に記載のシステム。
【請求項１３】
前記信号装置は、
（ａ）前記信号を生成し、受信するためのインターフェース送受信機と、
（ｂ）前記エレベータドアインターロック配線回路と前記インターフェース送受信機との間で前記生成および受信される信号を結合するための、前記エレベータドアインターロック配線回路の近傍に配置される少なくとも１つの結合装置とを備える、請求項１２に記載のエレベータ通信システム。
【請求項１４】
前記少なくとも１つの結合装置は、前記エレベータドアインターロック配線回路と前記インターフェース送受信機との間で前記生成および受信される信号を誘導的に結合するための誘導装置である、請求項１３に記載のエレベータ通信システム。
【請求項１５】
前記少なくとも１つの結合装置は、前記エレベータドアインターロック配線回路と前記インターフェース送受信機との間で前記生成および受信される信号を容量結合するための容量装置である、請求項１３に記載のエレベータ通信システム。
【請求項１６】
前記インターフェース送受信機は、前記複数のホール設備装置のうちの１つから受信したリクエストデータ信号を、前記ドアインターロック配線回路上に送信するための送信機を備える、請求項１３に記載のエレベータ通信システム。
【請求項１７】
前記インターフェース送受信機は、前記第１および第２の送受信機から、前記インターロック配線回路を介して前記複数のホール設備装置のうちの１つに送信される前記信号を受信するための受信器を備える、請求項１３に記載のエレベータ通信システム。
【請求項１８】
前記インターフェース送受信機による前記送信されたリクエストデータ信号は、前記リクエストデータ信号によって変調されたＲＦ信号を含む、請求項１６に記載のエレベータ通信システム。
【請求項１９】
前記第１および第２の送受信機からの送信による前記受信された信号は、制御データ信号によって変調されたＲＦ信号を含む、請求項１７に記載のエレベータ通信システム。
【請求項２０】
前記少なくとも１つのエレベータドアインターロック配線回路は、少なくとも２つのインターロック配線回路を備え、前記少なくとも２つのインターロック配線回路は、互いに各乗場に結合される、請求項１１に記載のエレベータ通信システム。
【請求項２１】
エレベータドアインターロック配線回路であって、
（ａ）前記エレベータの前記ドアインターロック配線回路を形成する複数の直列接続した導体と、
（ｂ）それぞれが前記複数の直列接続した導体のそれぞれの近傍に配置される複数の信号装置とを備え、前記複数の信号装置のそれぞれは、複数のホール設備装置のうちの少なくとも１つと前記直列接続した導体のそれぞれとの間で信号を結合する、エレベータドアインターロック配線回路。
【請求項２２】
前記複数の信号装置のそれぞれは、
（ａ）前記複数の直列接続した導体のうちの１つに信号を結合し、前記複数の直列接続した導体のうちの１つからの前記信号を結合するための結合装置と、
（ｂ）前記複数のホール設備装置のうちの１つから受信した信号を前記結合装置に送信し、前記結合装置から受信した前記信号を前記複数のホール設備装置のうちの１つに送信するためのインターフェース送受信機とを備える、請求項２１に記載のエレベータドアインターロック配線回路。
【請求項２３】
前記結合装置は、前記複数の直列接続した導体のうちの１つに前記信号を誘導的に結合し、前記複数の直列接続した導体のうちの１つからの前記信号を誘導的に結合するための誘導装置である、請求項２１に記載のエレベータドアインターロック配線回路。
【請求項２４】
前記結合装置は、前記複数の直列接続した導体のうちの１つに前記信号を容量結合し、前記複数の直列接続した導体のうちの１つからの前記信号を容量結合するための容量装置である、請求項２１に記載のエレベータドアインターロック配線回路。
【請求項２５】
前記信号は、エレベータシステムコントローラと前記複数の設備装置との間で送信される制御信号である、請求項２１に記載のエレベータドアインターロック配線回路。
【請求項２６】
前記複数のインターフェース装置のそれぞれは、前記インターフェース送受信機および前記複数のホール設備装置のうちの１つに電力を供給するための電力供給装置をさらに備える、請求項２２に記載のエレベータドアインターロック配線回路。
【請求項２７】
前記電力供給装置は、前記複数の直列接続した導体のうちの１つからの結合電力によって充電される容量充電装置とを備え、
前記結合電力は、前記送受信機および複数のホール設備装置のうちの１つに電力を供給するための前記容量充電装置によって貯蔵される、請求項２６に記載のエレベータドアインターロック配線回路。
【請求項２８】
前記電力供給装置は、前記複数の直列接続した導体のうちの１つから前記容量充電装置に電力を誘導的に結合するための結合変圧器をさらに備える、請求項２６に記載のエレベータドアインターロック配線回路。
【請求項２９】
エレベータシステムにおける信号通信方法であって、
（ａ）少なくとも１つのホール設備装置によって生成される少なくとも１つのリクエスト信号を少なくとも１つのエレベータドアインターロック配線回路に結合するステップと、
（ｂ）前記少なくとも１つのインターロック配線回路から前記少なくとも１つのリクエスト信号を受信し、前記少なくとも１つのリクエスト信号に関連するリクエストに応答するための少なくとも１つの制御信号を生成するステップと、
（ｃ）前記少なくとも１つのインターロック配線回路からの前記少なくとも１つの制御信号を、前記少なくとも１つのリクエスト信号を生成した前記ホール設備装置のうちの１つに結合するステップとを含む、エレベータシステムにおける信号通信方法
【請求項３０】
（ｄ）前記少なくとも１つのリクエスト信号に関連するリクエストを実行するステップをさらに含む、請求項２９に記載の方法。
【請求項３１】
前記少なくとも１つのドアインターロック配線回路に結合される前記少なくとも１つのリクエスト信号は、ＲＦ信号に変調される、請求項２９に記載の方法。
【請求項３２】
前記少なくとも１つのドアインターロック配線回路に結合される前記少なくとも１つの制御信号は、ＲＦ信号に変調される、請求項２９に記載の方法。
【請求項３３】
前記少なくとも１つのホール設備装置は、ホール呼出しボタンである、請求項２９に記載の方法。
【請求項３４】
前記少なくとも１つのホール設備装置は、ホール呼出しボタンである、請求項２９に記載の方法。
【請求項３５】
前記少なくとも１つのリクエスト信号は、ホール呼出しリクエストである、請求項２９に記載の方法。
【請求項３６】
前記少なくとも１つの制御信号は、ホール呼出し確認応答ランプを点灯させる、請求項２９に記載の方法。
【請求項３７】
前記少なくとも１つの制御信号は、音声ゴングを起動させる、請求項２９に記載の方法。
【請求項３８】
前記少なくとも１つの制御信号は、ホール確認応答ランプを消灯させる、請求項２９に記載の方法。
【請求項３９】
前記少なくとも１つの制御信号は、エレベータ乗場に配置されるエレベータ位置表示器を点灯させる、請求項２９に記載の方法。
【請求項４０】
エレベータドアインターロック配線回路内を流れるインターロック配線信号にアクセスすることによって、ホール設備装置に電力を供給するためのエレベータ電力供給システムであって、
（ａ）前記インターロック配線の電気信号を誘導的に受信し、電力供給信号を生成するための、前記エレベータドアインターロック配線回路の近傍に配置される変圧器と、
（ｂ）前記電源信号を受信し、ＤＣ信号を生成するための電力供給ユニットとを備え、
前記ＤＣ信号は、前記ホール設備装置に関連する電気回路に電力を供給するための貯蔵電荷として前記電力供給装置内に貯蔵される、エレベータ電力供給システム。
【請求項４１】
交流電力を前記電気回路に供給するための電源をさらに備える、請求項４０に記載のエレベータ電力供給システム。
【請求項４２】
前記電源は、周辺光を電荷に変換するための太陽エネルギー変換装置を備え、前記電荷は、前記電気回路に電力を供給する、請求項４１に記載のエレベータ電力供給システム。
【請求項４３】
前記電源は、エレベータドアに関連する運動を電荷に変換するための機械−電気変換装置を備え、前記電荷は、前記電気回路に電力を提供する、請求項４１に記載のエレベータ電力供給システム。
【請求項４４】
前記電気回路は、エレベータホール呼出し回路と、少なくとも１つの押しボタンスイッチとを備える、請求項４１に記載のエレベータ電力供給システム。
【請求項４５】
前記電気回路は、送受信機を備える、請求項４１に記載のエレベータ電力供給システム。
【請求項４６】
前記インターロック配線の電気信号は、１２０ＶＡＣの信号を含む、請求項４０に記載のエレベータ電力供給システム。
【発明の詳細な説明】
【技術分野】
【０００１】
本発明は、エレベータシステムにおける簡易配線を提供するための装置および方法に関する。より詳しくは、本発明は、エレベータシステム内の既存の配線インフラを使用した信号通信および制御に関する。
【背景技術】
【０００２】
従来、エレベータシステム内のホール呼出し用押しボタン、ホールランタン、および位置表示器などの信号装置は、別々の配線を必要とする。例えば、２０階建ての建造物では、各階にＵＰおよびＤＯＷＮのエレベータ呼出しボタン用の信号導体が必要となり、２０の階のうちの１９の階にはＵＰとＤＯＷＮ両方の呼出しボタンを有することになる。したがって、これらの１９の階には３８の信号導体が必要とされる。１階および最上階（２０階）は、ＵＰおよびＤＯＷＮの呼出しボタンをそれぞれ有し、それぞれが信号導体を必要とする。このことから、ホール呼出しボタンのための信号導体の総数は、単独で４０となる。また、共通の導体（グラウンド導体）も必要となる。ＵＰおよびＤＯＷＮの矢印を呼出し確認応答ランプに取り付ける場合は、さらに４０の導体が必要になる（２０階建ての場合）。各階（例えば、ホール入口の上に配置されるＵＰおよびＤＯＷＮの矢印）のためのホールランタンには、２つの導体と１つのグラウンド導体も必要となる。したがって、従来のエレベータシステムの配線設備は、多数の導体が配線スキームに必要とされる点では、より大きな労力を要し、かつより複雑なものであった。より簡略化された配線設備と比較して、これらの従来の配線方法におけるメンテナンスおよび故障発見もまた、より困難である。
【０００３】
マイクロプロセッサベースの装置を使用するエレベータシステムでは、設備を配線する時間およびその設備で使用される配線の数が低減される。しかし、これらのシステムではシリアル通信を使用するので、個別的な配線設備がなお必要であり、比較的大きな労力を要する。
【０００４】
いくつかのエレベータシステムメーカーでは、システムコントローラ、かごコントローラ、および種々のホール設備装置（例、ホール呼出しボタン）間の信号通信を提供するように、電力線搬送（ＰＬＣ）技術に適応させている。通信用のＰＬＣフォーマットを使用することによって、信号データは建造物のＡＣ電力線を介して送信される。ＰＬＣは設備コストを下げるが、建造物内の既存の電力線を通信媒体として使用する。したがって、ＰＬＣ通信を使用する装置は、インピーダンスの変化、および建造物内の種々のＡＣソケットから動力を取り出している異なる電気器具による負荷変動の結果として生じる電力線ノイズを被ることになる。さらに、ＰＬＣ通信は、変調周波数、伝導性および放射性放射、および電力線と電力線の伝送媒体にアクセスしている通信機器との間のインターフェースの安全性に課される制限および規定（米国では連邦通信委員会（ＦＣＣ）による）の対象となる。
【０００５】
最終的に、建造物のＡＣ配線を介した信号の通信では、安易にコンセントを使用してしまうことによって、信号の改ざんおよびハッキングを助力してしまうといった、安全上のリスクが高くなる。
【発明の開示】
【発明が解決しようとする課題】
【０００６】
したがって、本発明の目的は、既存のエレベータ配線インフラを信号通信に使用する、エレベータ用簡易配線システムを提供することにある。
【０００７】
本発明の別の目的は、安全な伝送媒体を介して情報を送信するために、既存のエレベータ配線を使用することにある。
【０００８】
本発明のさらに別の目的は、より単純な送信スキームを使用することができる柔軟な送信システムを提供することにある。
【０００９】
本発明の別の目的は、送信システムの種々の構成要素に電力を供給するために、既存のエレベータ配線から電力を導出することにある。
【課題を解決するための手段】
【００１０】
本発明では、ホール設備装置とホール設備装置から受信する信号の処理に関連する１つ以上のシステムコントローラとの間の双方向通信を提供するために、エレベータシステムの既存のインターロック配線を使用する。
【００１１】
本発明のシステムおよび方法の一側面では、複数のホール設備装置と少なくとも１つのエレベータシステムコントローラとの間の通信を提供するためのエレベータ通信システムを提供し、前記エレベータ通信システムは、少なくとも１つのエレベータドアインターロック配線回路を備える。送受信機は、前記少なくとも１つのエレベータシステムコントローラと前記複数のホール設備装置との間で、少なくとも１つのインターロック配線回路を介して信号の送受信を行うために、前記少なくとも１つのドアインターロック配線回路に接続される。
【００１２】
本発明のシステムおよび方法の一側面では、複数のホール設備装置と少なくとも１つのエレベータシステムコントローラとの間の通信を提供するためのエレベータ通信システムを提供し、前記エレベータ通信システムは、第１および第２の部分を有する少なくとも１つのエレベータドアインターロック配線回路を備える。第１の送受信機は、前記少なくとも１つのエレベータシステムコントローラと前記複数のホール設備装置との間で、前記インターロック配線を介して信号の送受信を行うために、前記ドアインターロック配線の第１の部分に接続される。第２の送受信機は、前記少なくとも１つのエレベータシステムコントローラと前記複数のホール設備装置との間で、前記インターロック配線を介して信号の送受信を行うために、前記ドアインターロック配線の第２の部分に接続される。
【００１３】
本発明のシステムおよび方法の別の側面では、前記エレベータの前記ドアインターロック配線回路を形成する複数の直列接続した導体を備えるエレベータドアインターロック配線回路を提供する。複数の信号装置のそれぞれは、前記複数の直列接続した導体のそれぞれの近傍に配置され、前記複数の信号装置のそれぞれは、複数のホール設備装置のうちの少なくとも１つと前記直列接続した導体のそれぞれとの間で信号を結合する。
【００１４】
本発明のシステムおよび方法のさらに別の側面では、エレベータシステムにおける信号通信方法を提供し、前記方法は、少なくとも１つのホール設備装置によって生成される少なくとも１つのリクエスト信号を少なくとも１つのエレベータドアインターロック配線回路に結合するステップと、前記少なくとも１つのインターロック配線回路から前記少なくとも１つのリクエスト信号を受信し、前記少なくとも１つのリクエスト信号に関連するリクエストに応答するための少なくとも１つの制御信号を生成するステップと、前記少なくとも１つのインターロック配線回路からの前記少なくとも１つの制御信号を、前記少なくとも１つのリクエスト信号を生成した前記ホール設備装置のうちの１つに結合するステップとを含む。
【００１５】
本発明のシステムおよび方法の別の側面では、エレベータドアインターロック配線回路内を流れるインターロック配線の電気信号にアクセスすることによって、エレベータ電力供給システムがホール設備装置に電力を供給し、前記電力供給システムは、前記インターロック配線信号を誘導的に受信し、電力供給信号を生成するための、前記エレベータドアインターロック配線回路の近傍に配置される変圧器を備える。電源供給ユニットは、前記電力供給信号を受信し、ＤＣ信号を生成し、前記ＤＣ信号は、前記ホール設備装置に関連する電気回路に電力を供給するための貯蔵電荷として電力供給装置内に貯蔵される。
【発明を実施するための最良の形態】
【００１６】
図１は、本発明によるドアインターロック配線システム１００の一実施態様を示す。インターロック配線システムは、インターロック配線１０２によって直列に接続される複数のインターロック装置１０４を備える。インターロック配線１０２は、リレースイッチ１０８を介して電力供給装置１０６によって提供される１２０ＶＡＣを伝える。インターロック装置１０４と結合するインターロック配線１０２は、エレベータのドアが開いたときにエレベータキャブ（図示せず）が移動しないようにする。全てのインターロック装置１０４が閉じている（すなわち、エレベータのドアが閉じている）場合、リレースイッチ１０８が入り、１２０ＶＡＣの電気信号が電力供給装置１０６からインターロック配線回路１０２を介して流れる。したがって、エレベータかごを移動させることができる。別様には、エレベータのドアが開位置にあることによってドアインターロック装置１０４のうちの１つに断線がある（すなわち、開路である）場合、リレースイッチ１０８が切れ、１２０ＶＡＣの電気信号がインターロック配線１０２に流れないようにする。したがって、電流はインターロック配線１０２に流れず、エレベータは移動できない。
【００１７】
信号装置１１０は、誘導結合によってインターロック配線１０２にＲＦ信号（例、ホール呼出し信号）を結合させる。配線１０２へ結合されるＲＦ信号は、送受信モジュール１１２および１１４の一方または両方によって受信されるが、送受信モジュール１１２および１１４は、フィルタ装置１１６および１１８、および送受信機１２０および１２２をそれぞれ備える。フィルタ１１６および１１８は、１２０ＶＡＣ信号を遮断し、結合されるＲＦ信号を送受信機１２０および１２２のそれぞれに通過させる広域フィルタである。送受信機１２０および１２２のそれぞれは、このＲＦ信号を復調することによってリクエストデータ信号にアクセスする。データ信号は、とりわけ、リクエストされた信号（例、ホール呼出しリクエスト）に関連するデータ情報、およびリクエストされた信号（例、ホール呼出しリクエスト）から生じた位置（例、４階の乗場）に対応するアドレス指定情報を含むことが可能である。復調に続けて、送信した通信リンク１２６および１２８の一方または両方による処理のために、リクエストデータ信号がシステムコントローラ１２４に送信される。リクエストデータ信号の処理に基づいて、システムコントローラ１２４は、通信リンク１３６を介して指定されたかごコントローラ１３０、１３２、および１３４のうちの１つに適切な制御データを送信する。通信リンク１２６、１２８、および１３６は、光、ＲＦ、マイクロ波ケーブル、または他のあらゆる好適な通信媒体を取り入れることが可能である。また、通信リンク１２６、１２８、および１３６は、インターロック配線システム１００の環境およびインフラに基づいて、異なる通信プロトコルを含むことが可能である。
【００１８】
システムコントローラ１２４は、指定された信号装置１１０のうちの１つに制御データ信号を送信することが可能である。例えば、システムコントローラ１２４が、作動させたホール呼出しボタン（例、４階の乗場）に関連するリクエストデータ信号の処理を行った時点で、そのコントローラは、ホール呼出しボタンの確認応答照明を点灯するための制御データ信号を生成することによって応答することが可能である。制御データ信号は、通信リンク１２６および１２８によってシステムコントローラ１２４から送受信機１２０および１２２の両方に送信される。送受信機１２０および１２２のそれぞれは、制御データ信号をＲＦ信号へ変調させる。送受信機は、次いでインターロック配線１０２へ誘導的に信号を結合させる。誘導されたＲＦ信号は、インターロック配線１０２に沿って伝播し、ホール呼出しリクエスト（例、４階の乗場）が生じたホール呼出しボタンに関連する指定された信号装置１１０によって受信される。信号装置１１０は、制御データ信号にアクセスするために、ＲＦ信号を受信して復調する。制御データ信号は、とりわけ、制御信号に関連するデータ情報（例、確認応答ホール呼出しリクエスト）、および制御信号が対象とする特定の信号装置１１０に対応するアドレス指定情報を含むことが可能である。所与の例の状況において、アドレス指定情報は、リクエストされた信号（例、ホール呼出しリクエスト）が生じた（例、４階の乗場）の信号装置のアドレスとすることが可能である。制御データ信号が信号装置１１０によって処理された時点で、ホール呼出しボタンの確認応答照明を点灯させることが可能である。
【００１９】
上述の説明は、システムの種々の構成要素間の信号送信、処理、および、データ通信を示すためのものである。信号装置１１０は、複数のＲＦ信号を送受信機１２０および１２２の一方または両方に送信することが可能であり、それによって、信号およびデータがシステム１００において確実に伝達および処理されるように、適切なネットワークプロトコルが構築される。信号装置１１０によって生成されるＲＦ信号がインターロック配線１０２上での衝突によって失われないように、イーサネットシステムで使用される衝突検出型搬送波検知多重アクセス（ＣＳＭＡ／ＣＤ）プロトコルをシステム１００に取り入れることが可能である。これらの衝突は、一般的に異なる階の乗場で複数のホール呼出しボタンが同時に押された場合に生じうる。「バックオフ」アルゴリズムを使用したＣＳＭＡ／ＣＤプロトコルは、信号の衝突を検知して信号の再送信を管理することによって、インターロック配線１０２への信号のアクセスを管理するための手段を提供する。本発明では、システム１００は、ＣＳＭＡ／ＣＤプロトコルを用いることに限定されない。これに限定されないが、データ送信のためのインターロック配線インフラ、環境、および帯域幅要件に基づいて、他のネットワークプロトコルも使用することが可能である。
【００２０】
信号装置「Ａ」などの信号装置１１０のうちの１つがＲＦ信号をインターロック配線１０２に結合させた場合、そのＲＦ信号は、送受信モジュール１１４および１１２のそれぞれの方向に向けて２つの方向Ｓ１およびＳ２に伝播する。全てのインターロック装置１０４が閉位置（すなわち、全てのエレベータドアが閉じている）場合、信号は、インターロック配線１０２のＬｏｃ．ＡおよびＬｏｃ．Ｂの位置で送受信モジュール１１２および１１４の両方によって受信されることになる。例えば、特定の階のエレベータのドアが開かれることによってインターロック「Ｎ」などのインターロック装置が開路状態である場合、Ｓ１方向に移動するＲＦ信号は、そのインターロック（すなわち、インターロック「Ｎ」）を流れることができない。したがって、この信号は、インターロック配線１０２のＬｏｃ．Ｂでは、送受信モジュール１１４によって受信することができない。しかし、エレベータシステムではインターロックを１つだけ常に開くことができるので、インターロックＡなどのインターロック装置は閉路位置にあり、ＲＦ信号はＳ２内を移動することができ、インターロック配線１０２のＬｏｃ．Ａで送受信モジュール１１２によって受信することができる。このため、とりわけ信号送受信機の機能は、インターロック配線１０２の両端部、すなわちＬｏｃ．ＡおよびＬｏｃ．Ｂに提供される。したがって、インターロック装置１０４のうちの１つが開路位置にある場合、ＲＦ信号は、送受信モジュール１１２および１１４のうちのいずれが１つへの送信パスを有する。
【００２１】
図２は、本発明の実施態様によるエレベータシステムのインターロック配線２０２へのアクセスに使用する信号装置２００を示す。信号装置２００は、図１において信号装置１１０としても示される。信号装置２００は、ホール呼出し回路２０４、インターフェース送受信機装置２０６、誘導または結合装置２０８、電力供給装置２１０、および電力結合変圧器２１２を備える。
【００２２】
ホール呼出し回路２０４は、送受信機２０６によって受信されるリクエストデータ信号を生成する。リクエスト信号は、リクエストおよびアドレス指定情報に関連するデータを含むことが可能である。誤り制御符号のような他の情報もリクエスト信号のデータフォーマットに組み込むことが可能である。例えば、ホール呼出しボタンを作動させたとき、ホール呼出し回路２０４はホール呼出しリクエストデータ信号２０５を生成する。しかし、回路２０４は、リクエストデータの生成および／またはシステムコントローラ１２４（図１）によって処理することを対象としたデータ情報の提供ができる、あらゆる回路を備えることが可能である。それに応じて、送受信機２０６は、ホール呼出し回路２０４からリクエスト信号２０５を受信し、リクエスト信号２０５を２つの異なるＲＦ搬送周波数（すなわちｆ１およびｆ２）に変調することによってＲＦ信号２１４および２１６を生成する。ＲＦ信号２１４および２１６は、信号導体２１８によって誘導装置２０８に送信されるが、誘導装置２０８は、インターロック配線２０２の近傍に配置されるアンテナ装置であってよい。アンテナから放射されるＲＦ信号は、このようにインターロック配線２０２に誘導的に結合する。
【００２３】
インターロック配線への電磁、磁気、または電界結合などの他の方法も、本発明の趣旨および範囲から逸脱することなく、使用することが可能である。例えば、容量結合も信号結合処理を容易にすることが可能である。信号装置２００と、例えば送受信機１１２および１１４（図１）との間で信号を伝達するために、インターロック配線２０２の他の特性を使用した、想定される他の結合方法を含むことが可能である。ケーブルまたはインターロック配線システムで使用する媒体の一部を形成することが可能な、遮断、遮蔽、または他の保護層を使用することが可能である。それに応じて、信号装置は適切な結合手段を使用する。例えば、インターロック配線または信号搬送媒体の一部を形成することが可能な特定のプラスチック材料に光を結合させるために、光信号送信を使用することが可能である。
【００２４】
信号装置２００はまた、インターロック配線２０２を介して伝播する１２０ＶＡＣの信号「Ｐ」の一部を結合することによって、送受信機２０６およびホール呼出し回路２０４を動作させるための電力も導出する。電力結合変圧器２１２の二次巻線２２２をインターロック配線２０２の近傍に配置することによって、１２０ＶＡＣの電気信号を二次巻線２２２へ誘導的に結合することができる。二次巻線２２２の信号電圧（１２０Ｖ）は、次いで一次巻線２２０に基づいて降圧される。降圧された電圧は、送受信機２０６およびホール呼出し回路２０４に電力を供給するために、電力供給装置２１０によって受電、整流、および制御される。電力供給装置２１０はまた、変圧器２１２を使用してインターロック配線２０２から誘導的に結合される電荷を貯蔵するための容量充電装置のような、電荷貯蔵機能も有する。これによって、１２０ＶＡＣの信号がインターロック配線２０２に流れない（すなわち、エレベータのドアが特定の階または乗場で開いている）間に、送受信機２０６およびホール呼出し回路２０４への電力を維持することが可能である。１２０ＶＡＣの信号がインターロック配線に流れる間、容量充電装置は、送受信機２０６およびホール呼出し回路２０４へ継続的に電力を供給するための電荷を貯蔵する。
【００２５】
図３は、本発明によるエレベータシステムのインターロック配線へのアクセスに使用される信号装置３００の別の実施態様を示す。図２に示される信号装置２００と同様に、信号装置３００は、ホール呼出し回路３０４、インターフェース送受信機３０６、誘導装置３１８、電力供給装置３１０、および電力結合変圧器３１２を備える。ホール呼出し回路３０４は、送受信機３０６によって受信されるリクエストデータ信号を生成する。リクエストデータ信号は、リクエストおよびアドレス指定情報に関連するデータを含むことが可能である。誤り制御符号のような他の情報もリクエスト信号のデータフォーマットに組み込むことが可能である。ホール呼出し回路３０４は、ホール呼出しリクエストデータ信号３０５を生成する。しかし、回路３０４は、リクエストデータの生成および／またはシステムコントローラ１２４（図１）によって処理するためのデータ情報の提供ができる、あらゆる回路を備えることが可能である。送受信機３０６は、ホール呼出し回路３０４からリクエスト信号３０５を受信し、リクエスト信号３０５を２つの異なるＲＦ搬送周波数（すなわちｆ１およびｆ２）に変調することによってＲＦ信号３１４および３１６を生成する。変調されたＲＦ信号３１４および３１６は、信号導体３２２および３２４を介して、誘導装置３１８および３２０にそれぞれ送信される。誘導装置３１８および３２０は、インターロック配線３０２の近傍に配置されるアンテナ装置であってよい。したがって、これらのアンテナから放射されるＲＦ信号は、インターロック配線３０２に誘導的に結合される。
【００２６】
図３に示される実施態様では、ＲＦ信号３１４および３１６のそれぞれは、指定された誘導装置または結合装置３１８および３２０によってインターロック配線３０２に誘導的に結合または誘導され、それによって、ＲＦ信号３１４は、誘導装置３１８によって導体３２２を介してインターロック配線３０２に結合される。同様に、ＲＦ信号３１６は、誘導装置３２０によって導体３２４を介してインターロック配線３０２に結合される。
【００２７】
ＲＦ信号のインターロック配線３０２への結合に独立した誘導装置を使用することによって、送受信機３０４の出力とそれが通信する誘導または結合装置（３１８または３２０）との間に更なる冗長性が加えられる。例えば、送受信機出力を操作する誘導装置３１８に不具合がある場合、または導体３２２の接続が破損している場合、他の送受信機出力を操作する誘導装置３２０を、ＲＦ周波数３１６（ｆ１）のインターロック配線３０２への誘導的な結合に使用することが可能である。このＲＦ信号は、次いで送受信モジュール１１２および１１４（図１）の両方または一方との通信に使用することが可能である。
【００２８】
信号装置３００はまた、インターロック配線３０２を介して伝播する１２０ＶＡＣの信号「Ｐ」の一部を結合することによって、送受信機３０６およびホール呼出し回路３０４を動作させるための電力も導出する。電力結合変圧器３１２の二次巻線３２６をインターロック配線３０２の近傍に配置することによって、１２０ＶＡＣの電気信号を二次巻線３２６へ誘導的に結合することができる。二次巻線３２６の信号電圧（１２０Ｖ）は、次いで一次巻線３２８に基づいて降圧される。降圧された電圧は、送受信機３０６およびホール呼出し回路３０４に電力を供給するために、電力供給装置３０８によって受電、整流、および制御される。同様に、電力供給装置３０８はまた、変圧器３１２を使用してインターロック配線３０２から誘導的に結合される電荷を貯蔵するための容量充電装置（図示せず）のような、電荷貯蔵機能も有する。これによって、１２０ＶＡＣの信号がインターロック配線２０２に流れない（すなわち、エレベータのドアが特定の階または乗場で開いている）間に、送受信機２０６およびホール呼出し回路２０４への電力を維持することが可能である。１２０ＶＡＣの信号がインターロック配線に流れる間、容量充電装置は、送受信機２０６およびホール呼出し回路２０４へ継続的に電力を供給するための電荷を貯蔵する。
【００２９】
本発明によれば、図２および３に示されるような誘導装置と送受信機との間の信号導体２１８、３２２、および３２４は、光ファイバ、同軸ケーブル、無線、または赤外線リンクなどの他の好適な手段に置き換えることが可能である。
【００３０】
図４は、本発明の実施態様に基づくエレベータシステムのドアインターロック配線インフラを示す。図４に示されるように、信号装置４００は、乗場または階の複数のエレベータシャフト４０８、４１０、および４１２のインターロック配線４０２、４０４、および４０６に結合される。このインフラ（各階または乗場での）は、任意の所与の階または乗場で一群のエレベータ（すなわち２基以上）に対するホール呼出しリクエストに単一のホール呼出し装置が使用される場合、送受信モジュール１１２および１１４（図１）と、システムコントローラ１２４（図１）と、信号装置４００との間でのＲＦ信号の送受信に更なる冗長性を提供する。送受信機４１４は、導体４１８、４２０、および４２２を介して送信され、誘導装置または結合装置４２４、４２６、および４２８によってそれぞれ受信される、ＲＦ信号４１６（すなわち、周波数ｆ１およびｆ２）を生成する。随意のゲートスイッチ４３０および４３２は、開または閉位置のいずれかとすることができる。インターロック配線４０４が通信チャネルを生成されたＲＦ信号に提供している場合、生成されたＲＦ信号がインターロック配線４０４によって受信だけされるように、ゲート４３０および４３２を開位置にすることが可能である。
【００３１】
送受信機４１４が誘導装置４２６によってインターロック配線４０４に誘導的に結合されているだけの場合、エレベータシャフト４０８、４１０、および４１２のエレベータかごに対するホール呼出しリクエストは、このインターロック配線４０４を介して通信される。しかし、シャフト４１０のエレベータに「運転休止」が発生した場合、このシャフト４１０のインターロック配線４０４は、信号装置４００と、送受信モジュール１１２、１１４（図１）と、システムコントローラ１２４（図１）との間の通信チャネルを維持できないことがある。これは、インターロック配線４０４のインターロック装置（図４には示さず）が開路状態であることに起因するものであり、インターロック配線４０４のあらゆる信号の流れを妨げる。したがって、「運転休止」のエレベータによってインターロック配線４０４が使用できない場合は、信号装置４００と、送受信モジュール１１２および１１４（図１）と、システムコントローラ１２４（図１）との間に別の通信経路を構築するために、インターロック配線４０２または４０６の一方または両方を使用することが可能である。同様に、シャフト４０８および４１２のエレベータの一方または両方が「運転休止」場合、別のインターロック配線（例、インターロック配線４０４）が、システムコントローラ１２４（図１）との間の必要な通信経路を提供することが可能である。通信チャネルとして指定されたインターロック配線を選択するために、ゲート４３０または４３２の一方を使用することが可能である。ゲート４３０および４３２は、ＲＦ信号トラフィックによってＲＦ信号を不必要にロードしないために、インターロック配線４０２および４０６それぞれへのＲＦ信号の流れを制御する。例えば、インターロック配線４０４を使用できない場合、ＲＦ信号をインターロック配線４０２および４０６の両方に沿って送信するのではなく、１つだけを選択することが可能である。また、インターロック配線４０４が通信経路を提供する場合、インターロック配線４０２および４０６を介して同じＲＦ信号を送信する必要がない場合がある。したがって、この場合、配線４０２および４０６を介して更なる信号通信を生成させないために、ゲート４３０および４３２は開路位置となる。
【００３２】
図５は、本発明の一側面の実施態様によるエレベータシステム５００のドアインターロック配線インフラのシステム図を示し、単一の送受信モジュール５０２がシステムコントローラ５０４と通信する。図５には示されていないが、システムコントローラ５０４はまた、エレベータかご（図１には示さず）に関連する１つ以上のかごコントローラとも通信する。図５に示される実施態様は、図５において、単一の送受信モジュール５０２がインターロック配線５１４とシステムコントローラ５０４と双方向通信を行うことを除いて、図１と同様である。
【００３３】
「ホール呼出しリクエスト信号」のようなリクエストデータ信号が、インターフェース送受信機５１０によってＲＦ信号５０６（ｆ１）および５０８（ｆ２）に変調されると、信号５０６および５０８はどちらも誘導装置５１２によって受信され、インターロック配線５１４に誘導的に結合される。全てのエレベータドアが閉じており、それぞれのドアインターロック装置５１５が閉路位置にある場合、生成されたＲＦ信号５０６および５０８は、インターロック配線回路の両方向に伝播する。伝播するＲＦ信号５１６（ｆ１、ｆ２）は、インターロック配線５１４の経路Ｂに沿って移動するが、伝播するＲＦ信号５１８（ｆ１、ｆ２）は、経路Ａに沿って移動する。送受信モジュール５０２は、誘導装置５２０および５２２を備え、経路Ｂに沿って移動するＲＦ信号５１６は誘導装置５２０によって受信され、経路Ａに沿って移動するＲＦ信号５１８は誘導装置５２２によって受信される。両方の経路（ＡおよびＢ）からのＲＦ信号は、送受信モジュール５０２によって復調されるが、ホール呼出しリクエスト信号（すなわち、復調された各ＲＦ信号は同じである）は、システムコントローラ５０４に送信されて処理される。その処理に基づいて、システムコントローラ５０４は、例えば、送受信モジュール５０２に送信される「ホール呼出し確認応答信号」のような制御データ信号を生成する。
【００３４】
送受信モジュール５０２で、ホール呼出し確認応答信号は、ＲＦ信号５２４および５２６へ変調されるが、信号５２４および５２６はどちらも経路ＡおよびＢに沿って送信される。伝播するＲＦ信号５２８は経路Ａに沿って移動し、伝播するＲＦ信号５３０は経路Ｂに沿って移動する。全てのインターロック装置５１５が閉路位置にある（全てのエレベータのドアが閉じている）場合、「ホール呼出しリクエスト」をリクエストした指定された信号装置は、経路ＡおよびＢの両方からＲＦ信号を受信する。したがって、図５に示される例において、伝播するＲＦ信号５２８および５３０はどちらも、経路ＡおよびＢから送受信機５１０によってそれぞれ受信される。ＲＦ信号５３４および５３６は誘導装置５１２によって受信され、送受信機５１０に結合されて変調されるが、制御データ信号はＲＦ搬送波信号（ｆ１、ｆ２）から取り出される。制御データ信号（例、ホール呼出し確認応答信号）は、ホール呼出しリクエスト回路（図示せず）によって受信され、指定された信号機能が実行、すなわち、ホール呼出しボタンの確認応答照明が点灯される。
【００３５】
インターロック装置のうちのいずれかが開路位置（すなわち、エレベータのドアが開いた状態）にある場合、伝播するＲＦ信号５１６、５１８、５２８、および５３０は、利用可能な経路ＡまたはＢのいずれか一方を移動することが可能である。上述したように、２つの経路に沿って両方向にＲＦ信号を送信することによって、もしインターロック装置が開路状態にあっても、リクエストしている信号装置（例、信号装置５３２）とシステムコントローラ（例、システムコントローラ５０４）との間に、別の伝播経路を構築することが可能である。
【００３６】
本発明に基づいて、２つのＲＦ周波数（ｆ１、ｆ２）ではなく単一のＲＦ信号（ｆ１）を、あらゆる個々の信号装置５３２とシステムコントローラ５０４との間の通信に使用することが可能である。インターロック配線通信システムで実行される通信プロトコルに基づいて、複数の周波数を使用することも可能である。本発明によるシステムは、インターロック配線を介したアクセスおよび通信のための特定の信号スキームに限定されず、また、各信号装置によって実行される複数の誘導装置（例、装置５１２）に制限されないシステムである。さらに、すでに図示および説明したように、送受信機によって生成される各ＲＦ信号は、個々の誘導装置または結合装置によって誘導的に結合させることが可能である。別様には、単一の誘導装置を、インターロック配線への複数のＲＦ周波数の結合に使用することが可能である。
【００３７】
図１乃至６に示される実施態様の送受信機１１８、１２０、２０６、３０６、４１４、５０２、５１０および６０６において使用される信号スキームは、あらゆる所望のフォーマットであってよい。したがって、信号スキームは、搬送周波数割り当ておよび調整データ転送率に対して設定された連邦政府が規定する制限を受けることがない。例えば、送受信機は、直接シーケンススペクトル拡散（ＤＳＳＳ）調整の使用に限定されず、また、電力線搬送（ＰＬＣ）システムに生じる種々の負荷変動の結果として生じる周波数に依存する減衰を解決するために通常使用される種々のデジタル信号処理技術の使用に限定されない。少なくとも部分的にエレベータのドアインターロック配線を使用することによって、これらの課題を解決する。したがって、送受信機１１８、１２０、２０６、３０６、４１４、５０２、５１０、および６０６は、振幅シフトキーイング（ＡＳＫ）、周波数シフトキーイング（ＦＳＫ）、および位相シフトキーイング（ＰＳＫ）などの変調スキームを組み込むことが可能である。調整帯域幅はまた、システムの信号の必要性に基づいて拡張することも可能である。
【００３８】
図６は、本発明の一実施態様による信号装置６００を示し、信号装置６００に関連する電気回路に電力を供給するための交流電源を備える。図６に示されるように、信号装置６００は、結合変圧器６０２、電力供給装置６０４、送受信機６０６、ホール設備装置６０８、結合装置６１０および６１２、および、電源６１４を備える。上述のように、ドアインターロック配線回路６１８を流れる１２０ＶＡＣの信号は、インターロック配線６１８から電力供給装置６０４に結合されるが、送受信機６０６およびホール設備装置６０８に電力を供給するために、ＤＣ電気信号が生成および貯蔵される。ホール設備装置は、とりわけホール呼出しＵＰボタン６２２およびホール呼出しＤＯＷＮボタン６２４を備える、ホール呼出し回路６２０を備えることが可能であり、それによって、ＵＰおよびＤＯＷＮボタン６２２および６２４を作動させて、ホール呼出し回路６２０によってホール呼出しリクエスト信号を生成する。ホール設備装置は、エレベータホールまたは乗場における既存の装置と設備との間の双方向または一方向のいずれかを提供するあらゆる装置を備えることが可能である。
【００３９】
ホール呼出し回路、送受信機６０６、およびボタン６２２および６２４を点灯するための電力は、詳細に上述したように、電力供給装置６０４によって供給される。しかし、交流電源６１４は、信号装置６００に関連する種々の電気回路に電力を供給するために、電力供給装置６０４に加えて、または単独で使用することも可能である。電源６１４は、変圧器６０２によってインターロック配線６１８から取り出される貯蔵電荷に加えて、更なる電荷を電力供給装置６０４内に貯蔵することが可能である。電源６１４はまた、信号装置６００に電力を単独で提供することができる。この場合、電源６１４は、電力供給６０４および／または変圧器６０２内に不具合が生じている間のバックアップ電源としての役割を果たす。不具合によりバックアップ電力を使用する場合において、ボタン６２２および６２４には、ボタンが押されたときに銀色から黒色に変化する液晶素子を使用することが可能である。ボタン６２２および６２４のうちの１つを点灯させるために電力を供給する代わりに、より低い電力の電気信号を液晶に供給することによって電力の消費がより少なくなり、そしてまた、それらの色も変化させる。
【００４０】
電源６１４は、太陽光発電装置によって受光される周辺光から電力を生成および貯蔵するための太陽光発電装置を備えることが可能である。電源６１４はまた、例えばエレベータのドアの運動を電力に変換する、機械−電気変換貯蔵装置を備えることも可能である。生成された電力は、次いで信号装置６００に電力を供給するために貯蔵される。圧電装置またはフライホイールを、機械的運動と発電との間の変換に使用することが可能である。
【００４１】
制御データ信号の他の例には、これに限定されないが、エレベータの乗場に配置されるホール呼出し確認応答ランプを点灯させるための制御信号、エレベータがある階に到着したときに鳴らす音声ゴングのための制御信号、エレベータの乗場に配置されるエレベータ位置表示器を点灯させるための制御信号、およびエレベータが所望の階に到着したときにホール確認応答ランプを消灯するための制御信号が挙げられる。同様に、他のリクエストデータ信号があり、その一つはホール呼出しリクエストである。しかし、本願明細書において述べられるデータ信号は、説明のためのものであり制限するものではないことは、当業者には既知であろう。
【００４２】
上述の本発明の側面の実施態様に加えて、当業者は、本明細書に明示的に記載されていないとしても、本発明の原理を取り入れ、添付の特許請求の範囲内にある様々な他の配置およびステップに到達することができるであろう。例えば、方法ステップの順序は必ずしも固定する必要はなく、本発明の範囲および趣旨から逸脱しない範囲で、変更することが可能である。
【図面の簡単な説明】
【００４３】
【図１】本発明によるエレベータシステムのドアインターロック配線インフラのシステム図を示す。
【図２】本発明によるエレベータシステムのインターロック配線へのアクセスに使用される信号装置を示す。
【図３】本発明の別の実施態様によるエレベータシステムのインターロック配線へのアクセスに使用される信号装置を示す。
【図４】複数のエレベータかごのインターロック配線が接続されている、本発明によるエレベータシステムのドアインターロック配線インフラを示す。
【図５】単一の送受信機がエレベータシステムコントローラと通信している、本発明の別の実施態様によるエレベータシステムのドアインターロック配線インフラのシステム図を示す。
【図６】本発明による信号装置に含まれる電気回路に電力を供給するための交流電源を備える、エレベータシステムのインターロック配線へのアクセスに使用される信号装置を示す。
【符号の説明】
【００４４】
１００  ドアインターロック配線システム
１０２  インターロック配線
１０４  インターロック装置
１０６  電力供給装置
１０８  リレースイッチ
１１０  信号装置
１１２、１１４  送受信モジュール
１１６、１１８  フィルタ装置
１２０、１２２  送受信機
１２４  システムコントローラ
１２６、１２８、１３６  通信リンク
１３０、１３２、１３４  かごコントローラ
【図１】
2007526194.tif 000003
【図２】
2007526194.tif 000004
【図３】
2007526194.tif 000005
【図４】
2007526194.tif 000006
【図５】
2007526194.tif 000007
【図６】
2007526194.tif 000008
【国際調査報告】
2007526194.tif 000009
2007526194.tif 000010